(57)【要約】【課題】テレビジョン受像装置において、液晶表示パネル等の表示デバイスに生ずる画素欠けを容易に指定可能として、使い勝手の向上を図る。【解決手段】液晶表示パネル上に、赤画素欠け指定画像として、赤の背景画像３２に黒の十字カーソル３３を表示させた第１の画像３１、及び黒の背景画像３７に赤の十字カーソル３８を表示させた第２の画像３６を所定の時間間隔で交互に表示させる。これにより、第１の画像３１が表示されているとき、黒の画素欠けが生じている画素３４が指定可能となり、第２の画像３６が表示されているとき、赤の画素欠けが生じている画素が指定可能となり、ユーザは容易に画素欠けを指定することができるようになり、テレビジョン受像装置の使い勝手が向上する。【選択図】図３
2006067203.tif 000002
【特許請求の範囲】
【請求項１】
映像信号を含むテレビジョン放送信号を受信するチューナと、このチューナが受信した映像信号を処理する映像処理手段と、この映像処理手段によって処理された映像信号に基いて映像を表示する液晶表示パネルと、ユーザによって操作され、各種の指令を入力するための指令入力手段とを備えたテレビジョン受像装置において、
ユーザに前記指令入力手段を操作させながら、前記液晶表示パネルの画素欠けが生じた画素を指定する画素欠け指定手段と、この画素欠け指定手段によって指定された画素の周辺の画素の画像データを変更して、前記画素欠けを補正する画素欠け補正手段とをさらに備え、
前記画素欠け指定手段は、
前記液晶表示パネルの解像度を最大にして、赤の背景画像に黒の１画素幅のラインから成る十字カーソルを表示させた第１の画像、及び黒の背景画像に赤の１画素幅のラインから成る十字カーソルを表示させた第２の画像を所定の時間間隔で交互に表示させて、赤の画素欠けを指定する赤画素欠け指定手段と、
前記液晶表示パネルの解像度を最大にして、緑の背景画像に黒の１画素幅のラインから成る十字カーソルを表示させた第３の画像、及び黒の背景画像に緑の１画素幅のラインから成る十字カーソルを表示させた第４の画像を所定の時間間隔で交互に表示させて、緑の画素欠けを指定する緑画素欠け指定手段と、
前記液晶表示パネルの解像度を最大にして、青の背景画像に黒の１画素幅のラインから成る十字カーソルを表示させた第５の画像、及び黒の背景画像に青の１画素幅のラインから成る十字カーソルを表示させた第６の画像を所定の時間間隔で交互に表示させて、青の画素欠けを指定する青画素欠け指定手段とを有し、
ユーザに前記指令入力手段を操作させながら、前記液晶表示パネルの画素欠けが生じた画素を、赤、緑、青の各色毎に、黒色、及び赤、緑、青のいずれかの色の十字カーソルを移動させて指定可能としたことを特徴とするテレビジョン受像装置。
【請求項２】
映像信号を含むテレビジョン放送信号を受信するチューナと、このチューナが受信した映像信号を処理する映像処理手段と、この映像処理手段によって処理された映像信号を外部に接続された映像表示装置に出力する映像出力手段と、ユーザによって操作され、各種の指令を入力するための指令入力手段とを備えたテレビジョン受信ユニットにおいて、
ユーザに前記指令入力手段を操作させながら、前記映像表示装置の画素欠けが生じた画素を指定する画素欠け指定手段と、この画素欠け指定手段によって指定された画素の周辺の画素の画像データを変更して、前記画素欠けを補正する画素欠け補正手段とをさらに備え、
前記画素欠け指定手段は、
前記映像表示装置に、所定の色の背景画像に黒の十字カーソルを表示させた第１の画像、及び黒の背景画像に前記所定の色の十字カーソルを表示させた第２の画像を所定の時間間隔で交互に表示させて、
ユーザに前記指令入力手段を操作させながら、前記映像表示手段の画素欠けが生じた画素を十字カーソルを移動させて指定可能としたことを特徴とするテレビジョン受信ユニット。
【請求項３】
請求項２に記載のテレビジョン受信ユニットと、
光を出射する光源と、この光源から出射された光のうち、赤、緑、青の光を時系列的に順次透過させるカラーホイールと、このカラーホイールを透過した各色の光を反射させて画像を形成する画像形成素子とを備えたことを特徴とする投影型のテレビジョン受像装置。
【発明の詳細な説明】
【技術分野】
【０００１】
本発明は、液晶表示パネル等において、画素欠けしている画素を指定して補正する機能を有するテレビジョン受信ユニット及びテレビジョン受像装置に関するものである。
【背景技術】
【０００２】
従来から、液晶表示パネルに映像を表示する液晶テレビジョン受像装置が実用化されている。液晶テレビジョン受像装置では、液晶表示パネルのガラス基板に形成された微小な薄膜トランジスタ（ＴＦＴ）に微電流を流すことにより、バックライトを透過させて映像を表示する。ところが、液晶表示パネルの量産過程においては、すべての薄膜トランジスタを良好に形成することが一般に困難であり、その結果、特定の薄膜トランジスタの動作不良により画素表示が欠損する、いわゆる画素欠け（ドット欠け）と呼ばれる現象が発生することがある。
【０００３】
また、近年、ＤＬＰ（Digital Light Processing）技術を採用した投影型テレビジョン受像装置も実用化されている。この投影型テレビジョン受像装置においては、微小なミラー素子を集積させたＤＭＤ（Digital Micro-mirror Device）が用いられている。このＤＭＤの量産過程においても、すべてのミラー素子を良好に形成することが一般に困難であり、特定のミラー素子の動作不良が生じ、このような場合も、上記と同様に、画素欠けが発生することがある。
【０００４】
そこで、液晶表示パネル等を用いたディスプレイ装置においては、各カラーセルの駆動電圧を検出することにより、特定の画素の表示が欠けていると判定した場合は、所定の画像処理を実行し、画素欠けを目立たなくする装置が知られている（例えば、特許文献１参照）。また、画像を撮影するカメラ装置においては、ＣＣＤ（Charge Coupled Device)の画素欠けが生じている画素をユーザが十字カーソルによって指定する装置が知られている（例えば、特許文献２及び特許文献３参照）。
【特許文献１】特開平６−１８０５５５号公報
【特許文献２】特開平１０−９３８６７号公報
【特許文献３】特開２００１−２１８１１５号公報
【発明の開示】
【発明が解決しようとする課題】
【０００５】
しかしながら、上記特許文献１に示されたディスプレイ装置にあっては、各カラーセルの駆動電圧を検出する際、混入したノイズによって、画素欠けを正確に判定できない場合がある。また、上記特許文献２及び特許文献３に示されるカメラ装置の技術をテレビジョン受像装置に適用した場合でも、画素が常に点灯してしまうことによって生ずる画素欠けと、常に点灯しないことによって生ずる画素欠けを一度に指定することができない。また、十字カーソルのライン上にある画素の画素欠けの有無を判断することができない。
【０００６】
本発明は、上記課題を解決するためになされたものであり、液晶表示パネル等の表示デバイスに生ずる画素欠けを容易かつ正確に指定可能として、使い勝手の向上を図ったテレビジョン受信ユニット及びテレビジョン受像装置を提供することを目的とする。
【課題を解決するための手段】
【０００７】
上記目的を達成するために請求項１の発明は、映像信号を含むテレビジョン放送信号を受信するチューナと、このチューナが受信した映像信号を処理する映像処理手段と、この映像処理手段によって処理された映像信号に基いて映像を表示する液晶表示パネルと、ユーザによって操作され、各種の指令を入力するための指令入力手段とを備えたテレビジョン受像装置において、ユーザに指令入力手段を操作させながら、液晶表示パネルの画素欠けが生じた画素を指定する画素欠け指定手段と、この画素欠け指定手段によって指定された画素の周辺の画素の画像データを変更して、画素欠けを補正する画素欠け補正手段とをさらに備え、画素欠け指定手段は、液晶表示パネルの解像度を最大にして、赤の背景画像に黒の１画素幅のラインから成る十字カーソルを表示させた第１の画像、及び黒の背景画像に赤の１画素幅のラインから成る十字カーソルを表示させた第２の画像を所定の時間間隔で交互に表示させて、赤の画素欠けを指定する赤画素欠け指定手段と、液晶表示パネルの解像度を最大にして、緑の背景画像に黒の１画素幅のラインから成る十字カーソルを表示させた第３の画像、及び黒の背景画像に緑の１画素幅のラインから成る十字カーソルを表示させた第４の画像を所定の時間間隔で交互に表示させて、緑の画素欠けを指定する緑画素欠け指定手段と、液晶表示パネルの解像度を最大にして、青の背景画像に黒の１画素幅のラインから成る十字カーソルを表示させた第５の画像、及び黒の背景画像に青の１画素幅のラインから成る十字カーソルを表示させた第６の画像を所定の時間間隔で交互に表示させて、青の画素欠けを指定する青画素欠け指定手段とを有し、ユーザに指令入力手段を操作させながら、液晶表示パネルの画素欠けが生じた画素を、赤、緑、青の各色毎に、黒色、及び赤、緑、青のいずれかの色の十字カーソルを移動させて指定可能としたものである。
【０００８】
請求項２の発明は、映像信号を含むテレビジョン放送信号を受信するチューナと、このチューナが受信した映像信号を処理する映像処理手段と、この映像処理手段によって処理された映像信号を外部に接続された映像表示装置に出力する映像出力手段と、ユーザによって操作され、各種の指令を入力するための指令入力手段とを備えたテレビジョン受信ユニットにおいて、ユーザに指令入力手段を操作させながら、映像表示装置の画素欠けが生じた画素を指定する画素欠け指定手段と、この画素欠け指定手段によって指定された画素の周辺の画素の画像データを変更して、画素欠けを補正する画素欠け補正手段とをさらに備え、画素欠け指定手段は、映像表示装置に、所定の色の背景画像に黒の十字カーソルを表示させた第１の画像、及び黒の背景画像に所定の色の十字カーソルを表示させた第２の画像を所定の時間間隔で交互に表示させて、ユーザに指令入力手段を操作させながら、映像表示手段の画素欠けが生じた画素を十字カーソルを移動させて指定可能としたものである。
【０００９】
請求項３の発明は、請求項２に記載のテレビジョン受信ユニットと、光を出射する光源と、この光源から出射された光のうち、赤、緑、青の光を時系列的に順次透過させるカラーホイールと、このカラーホイールを透過した各色の光を反射させて画像を形成する画像形成素子とを備えたものである。
【発明の効果】
【００１０】
請求項１の発明によれば、液晶表示パネルを備えたテレビジョン受像装置において、赤、緑、青の各色毎に画素欠けが生じた画素を指定することができる。このとき、例えば、赤の画素欠けを指定する際、赤の背景画像に黒の十字カーソルを表示させた第１の画像、及び黒の背景画像に赤の十字カーソルを表示させた第２の画像を所定の時間間隔で交互に表示させるので、赤の画素が常に点灯することによって生ずる画素欠けと、常に点灯しないことによって生ずる画素欠けを一度に指定することができる。緑、青の画素についても同様である。また、十字カーソルのライン上に画素欠けが生じているときであっても、これを見逃すことなく容易に発見することができる。また、液晶表示パネルの解像度を最大にして、１画素幅のラインから成る十字カーソルを表示させるので、画素欠けが生じている画素のみを的確に指定することができる。
【００１１】
請求項２の発明によれば、画素の表示色に応じて第１及び第２の画像に用いる所定の色を設定し、画素欠けが生じた画素を指定することができる。このとき、上記所定の色の背景画像に黒の十字カーソルを表示させた第１の画像、及び黒の背景画像に所定の色の十字カーソルを表示させた第２の画像を所定の時間間隔で交互に表示させるので、画素が常に点灯することによって生ずる画素欠けと、常に点灯しないことによって生ずる画素欠けを一度に指定することができる。
【００１２】
請求項３の発明によれば、投影型のテレビジョン受像装置において、請求項２と同等の効果を得ることができる。
【発明を実施するための最良の形態】
【００１３】
（実施形態１）
本発明の実施形態１に係るテレビジョン受像装置について図面を参照して説明する。図１は、本実施形態１に係るテレビジョン受像装置１を示す。テレビジョン受像装置１は、放送局から配信されるテレビジョン放送信号（ＲＦ信号）を受信するチューナ２と、チューナ２が受信したＴＶ放送信号の復調、誤り訂正処理を行った後、必要なＴＳパケットを分離するフロントエンド（映像処理手段）３と、フロントエンド３が分離したＴＳパケット、又は外部から入力された映像信号をデコードするＭＰＥＧデコーダ（映像処理手段）４と、ＭＰＥＧデコーダ４が出力する映像信号に必要に応じてＯＳＤ（オンスクリーンディスプレイ）表示を重畳させるＯＳＤ回路（映像処理手段）５と、表示デバイス１１を駆動するドライバ回路６と、ユーザが操作指令を入力するためのリモコン（指令入力手段）７と、リモコン７から送信された操作指令を受信するリモコン受信部８と、装置全体の制御を司る制御部（画素欠け指定手段、画素欠け補正手段）９と、制御部９の動作プログラムを記憶するメモリ１０と、映像を表示する表示デバイス１１とを備えている。なお、このテレビジョン受像装置１から表示デバイス１１を除いた構成が請求項２に記載のテレビジョン受信ユニットに相当する。
【００１４】
図２は、表示デバイス１１の代表例である液晶表示パネル２０を示している。液晶表示パネル２０は、既によく知られているように、バックライト２１と、反射板２２と、導光板２３と、偏光板２４と、表面に薄膜トランジスタが形成されたガラス基板２５と、ガラス基板２５とカラーフィルタ２７との間に封入された液晶２６と、赤、緑、青の光を透過させるカラーフィルタ２７と、カラーフィルタ２７の前面に積層されているガラス基板２８及び偏光板２９等によって構成されている。
【００１５】
既に述べたように、液晶表示パネル２０は、一部の薄膜トランジスタの動作不良によって画素欠けが生ずることがある。本発明のテレビジョン受像装置１は、画素欠けが生じた画素を指定し、その周辺の画素の画像データを変更することにより、画素欠けを目立たなくする画素欠け補正機能を有している。
【００１６】
図３乃至図５は、液晶表示パネル２０において、画素欠けが生じた画素を指定するための画素欠け指定画像の一例を示している。この画素欠け指定画像は、ユーザがリモコン７を操作して、テレビジョン受像装置１の動作モードを画素欠け指定モードに切り替えることにより、制御部９から指令を受けたＯＳＤ回路５が生成した画像データに基いて表示される。本テレビジョン受像装置１においては、赤、緑、青の各色毎に、画素欠けが生じた画素を個別に指定することができる。
【００１７】
赤の画素欠けが生じた画素を指定する赤画素欠け指定画像について、以下に説明する。赤画素欠け指定画像は、赤の背景画像３２に黒の１画素幅のラインから成る十字カーソル３３を表示させた第１の画像３１、及び黒の背景画像３７に赤の１画素幅のラインから成る十字カーソル３８を表示させた第２の画像３６によって構成される。第１の画像３１及び第２の画像３６は、液晶表示パネル２０の解像度を最大にした状態で、所定の時間間隔で交互に表示される。
【００１８】
図３には、画素３４が常に点灯しないことによって生ずる画素欠け、すなわち黒く表示される画素欠けが発生している状態が示されている。（ａ）に示す赤の背景画像３２を有する第１の画像３１では、画素欠けを容易に視認することができ、ユーザはリモコン７を操作して十字カーソル３３を移動させて、画素欠けが生じた画素３４を指定することができる。これに対して、（ｂ）に示す黒の背景画像３７を有する第２の画像３６では、画素欠けを視認することができない。しかしながら、第１の画像３１及び第２の画像３６は、所定の時間間隔で交互に表示されるので、次に第１の画像３１が表示されたとき、画素３４を指定することができる。
【００１９】
図４には、赤の画素３９が常に点灯することによって生ずる画素欠け、すなわち赤く表示される画素欠けが発生している状態が示されている。（ａ）に示す赤の背景画像３２を有する第１の画像３１では、画素欠けを視認することができない。これに対して、（ｂ）に示す黒の背景画像３７を有する第２の画像３６では、画素欠けを容易に視認することができ、ユーザはリモコン７を操作して十字カーソル３８を移動させて、画素欠けが生じた画素３９を指定することができる。
【００２０】
図５には、画素欠けが十字カーソル３３、３８のライン上に発生している状態が示されている。（ａ）に示す黒の十字カーソル３３を有する第１の画像３１では、画素欠けを容易に視認することができ、ユーザはリモコン７を操作して十字カーソル３３を移動させて、画素欠けが生じた画素３９を指定することができる。これに対して、（ｂ）に示す赤の十字カーソル３８を有する第２の画像３６では、画素欠けを視認することができない。しかしながら、第１の画像３１及び第２の画像３６は、所定の時間間隔で交互に表示されるので、次に第１の画像３１が表示されたとき、画素３９を指定することができる。
【００２１】
以上は、赤画素欠け指定画像を用いた赤の画素欠けを指定する要領について説明したが、緑の画素欠け、青の画素欠けについても同等の緑画素欠け指定画像及び青画素欠け指定画像を用いて同様の要領で指定することができるので、その説明を省略する。
【００２２】
次に、画素欠けを指定する手順について説明する。図６は、その手順のフローチャートを示す。まず、制御部９は、赤の背景画像３２に黒の十字カーソル３３を表示させた第１の画像３１、及び黒の背景画像３７に赤の十字カーソル３８を表示させた第２の画像３６を所定の時間間隔で交互に表示させて（＃１）、赤の画素欠けを指定させる。赤の画素欠けの指定が完了すると（＃２においてＹＥＳ）、制御部９は、緑の背景画像に黒の十字カーソルを表示させた第３の画像、及び黒の背景画像に緑の十字カーソルを表示させた第４の画像を所定の時間間隔で交互に表示させて（＃３）、緑の画素欠けを指定させる。緑の画素欠けの指定が完了すると（＃４においてＹＥＳ）、制御部９は、青の背景画像に黒の十字カーソルを表示させた第５の画像、及び黒の背景画像に青の十字カーソルを表示させた第６の画像を所定の時間間隔で交互に表示させて（＃５）、青の画素欠けを指定させる。青の画素欠けの指定が完了すると（＃６においてＹＥＳ）、制御部９は、画素欠け指定処理を終了して、画素欠けの補正処理を開始する。
【００２３】
図７は、画素欠けが指定された画素と、画素欠け補正のために画像データが変更される周辺の画素を示している。例えば、赤の画素６０が常に点灯しないことによって生ずる画素欠けが発生したとき、制御部９はその周辺の画素６１の輝度を通常よりも高めることにより、画素欠けを目立たなくすることができる。一方、赤の画素６０が常に点灯することによって生ずる画素欠けが発生したとき、制御部９はその周辺の画素６１の輝度を通常よりも低めることにより、画素欠けを目立たなくすることができる。このような、画素欠けの補正は、赤の画素だけでなく、緑の画素及び青の画素においても、同様になされる。
【００２４】
以上のように、本実施形態のテレビジョン受像装置１によれば、液晶表示パネル２０において、赤、緑、青の各色毎に画素欠けが生じた画素を指定することができる。このとき、例えば、赤の画素欠けを指定する際、赤の背景画像３２に黒の十字カーソル３３を表示させた第１の画像３１、及び黒の背景画像３７に赤の十字カーソル３８を表示させた第２の画像３６を所定の時間間隔で交互に表示させるので、赤の画素が常に点灯している画素３４と、常に点灯しない画素３９を一度に指定することができる。緑、青の画素についても同様である。また、十字カーソル３３、３８のライン上に画素欠けが生じているときであっても、これを見逃すことなく容易に発見することができる。さらに、液晶表示パネル２０の解像度を最大にして、１画素幅のラインから成る十字カーソル３３、３８を表示させるので、画素欠けが生じている画素３４、３９のみを的確に指定することができる。
【００２５】
（実施形態２）
以下に、本発明の実施形態２について説明する。図８は、実施形態２に係るテレビジョン受像装置に用いられる表示デバイスを示す。このテレビジョン受像装置は、表示デバイスとしてリアプロジェクタ４０を適用した投影型テレビジョン受像装置である。リアプロジェクタ４０は、ＤＬＰ技術を用いた表示デバイスであって、ライト４１と、レンズ４２、４４、４６と、カラーホイール４３、ＤＭＤ４５と、スクリーン４７等によって構成されている。カラーホイール４３は、その外周近傍に赤、緑、青の光をそれぞれ透過させるフィルタを有し、矢印方向に回転し、ライト４１から出射された光のうち赤、緑、青の光を時系列的に順次透過させる。
【００２６】
図９はＤＭＤ４５の一部を拡大して示している。ＤＭＤ４５は、基板４８の上面に配列した複数のミラー素子４９を有している。各ミラー素子４９は基板４８に実装されているアクチュエータ（図示せず）によって独立に姿勢制御され、カラーホイール４３を透過した赤、緑、青の光をスクリーン４７に適宜反射させて画像を形成する。ところが、一部のアクチュエータに動作不良が発生すると、それに対応する画素が適正に表示されなくなり、画素欠けとなる。リアプロジェクタ４０は、カラーホイール４３を透過した赤、緑、青の光を時系列的に表示させることによって画像を形成しているので、特定のアクチュエータに動作不良が生じると、赤、緑、青の全ての色について、画素欠けが発生する。そのため、画素欠けが生じた画素は、白表示又は黒表示のいずれかとなる。
【００２７】
図１０は、リアプロジェクタ４０において、画素欠けが生じた画素を指定するための画素欠け指定画像の一例を示している。上述したように、画素欠けが生じた画素は、白表示又は黒表示のいずれかとなるので、画素欠け指定画像は、白の背景画像５２に黒の１画素幅のラインから成る十字カーソル５３を表示させた第１の画像５１、及び黒の背景画像５７に白の１画素幅のラインから成る十字カーソル５８を表示させた第２の画像５６によって構成される。第１の画像５１及び第２の画像５６は、リアプロジェクタ４０の解像度を最大にした状態で、所定の時間間隔で交互に表示される。
【００２８】
同図は、画素５４が常に点灯しない、すなわち黒く表示される画素欠けが発生している状態を示している。この場合、（ａ）に示す白の背景画像５２を有する第１の画像５１では、画素欠けを容易に視認することができ、ユーザはリモコン７を操作して十字カーソル５３を移動させて、画素欠けが生じた画素５４を指定することができる。これに対して、（ｂ）に示す黒の背景画像５７を有する第２の画像５６では、画素欠けを視認することができない。しかしながら、第１の画像５１及び第２の画像５６は、所定の時間間隔で交互に表示されるので、次に第１の画像５１が表示されたとき、画素５４を指定することができる。なお、画素が常に点灯し、白く表示される画素については、（ｂ）に示す黒の背景画像５７を有する第２の画像５６によって容易に視認することができ、指定することができる。また、本実施形態での、画素欠けの補正は、画素欠けが生じた画素５４の周辺の画素の輝度を高めたり低めたりすることによって行うことができる。
【００２９】
以上のように、本実施形態のリアプロジェクタ４０を用いたテレビジョン受像装置によれば、白の背景画像５２に黒の十字カーソル５３を表示させた第１の画像５１、及び黒の背景画像５７に白の十字カーソル５８を表示させた第２の画像５６を所定の時間間隔で交互に表示させるので、画素が常に点灯することによって生ずる画素欠けと、常に点灯しないことによって生ずる画素欠けを一度に指定することができる。
【００３０】
なお、本発明は上記実施形態の構成に限られることなく種々の変形が可能であり、例えば、装置内部に表示デバイス１１を有さず、外部に接続された表示デバイスに画像を表示させる受信ユニット（Set Top Box）にも適用することができる。この場合においては、接続される表示デバイスの種類に応じて、画素欠け指定画像において、黒の背景画像及び十字カーソルと組み合わせる十字カーソル及び背景画像の色を適宜設定できるように構成するのが望ましい。例えば、液晶モニタ装置が接続されたときは、赤、緑、青の各色毎に、十字カーソル及び背景画像を黒の背景画像及び十字カーソルと組み合わせて順次表示し、リアプロジェクタ装置や、フロントプロジェクタ装置が接続されたときは、白の十字カーソル及び背景画像を黒の背景画像及び十字カーソルと組み合わせて表示するように構成するとよい。
【図面の簡単な説明】
【００３１】
【図１】本発明の実施形態１に係るテレビジョン受像装置のブロック図。
【図２】同テレビジョン受像装置に用いられる液晶表示パネルの構成を示す図。
【図３】（ａ）は赤の背景画像に黒の画素欠けが表示されている状態の第１の画像を示す図、（ｂ）は黒の背景画像に黒の画素欠けが表示されている状態の第２の画像を示す図。
【図４】（ａ）は赤の背景画像に赤の画素欠けが表示されている状態の第１の画像を示す図、（ｂ）は黒の背景画像に赤の画素欠けが表示されている状態の第２の画像を示す図。
【図５】（ａ）は黒の十字カーソルの上に赤の画素欠けが表示されている状態の第１の画像を示す図、（ｂ）は赤の十字カーソルの上に赤の画素欠けが表示されている状態の第２の画像を示す図。
【図６】同装置において、画素欠けを指定する手順を示すフローチャート。
【図７】画素欠けが指定された画素と、画素欠け補正のために画像データが変更される周辺の画素を拡大して示す図。
【図８】本発明の実施形態２によるテレビジョン受像装置に用いられるリアプロジェクタの概略構成を示す図。
【図９】同リアプロジェクタに用いられるＤＭＤの構成を示す図。
【図１０】（ａ）は白の背景画像に黒の画素欠けが表示されている状態の第１の画像を示す図、（ｂ）は黒の背景画像に黒の画素欠けが表示されている状態の第２の画像を示す図。
【符号の説明】
【００３２】
１    テレビジョン受像装置
２    チューナ
３    フロントエンド（映像処理手段）
４    ＭＰＥＧデコーダ（映像処理手段）
５    ＯＳＤ回路（画素欠け指定手段）
７    リモコン（指令入力手段）
９    制御部（画素欠け指定手段、画素欠け補正手段）
２０    液晶表示パネル
３１    第１の画像
３６    第２の画像
４０    リアプロジェクタ
４１    光源
４２    カラーホイール
４５    画像形成素子
５１    第１の画像
５６    第２の画像
【図１】
2006067203.tif 000003
【図２】
2006067203.tif 000004
【図３】
2006067203.tif 000005
【図４】
2006067203.tif 000006
【図５】
2006067203.tif 000007
【図６】
2006067203.tif 000008
【図７】
2006067203.tif 000009
【図８】
2006067203.tif 000010
【図９】
2006067203.tif 000011
【図１０】
2006067203.tif 000012